(57)【要約】  周囲がベルマウス形状の吸込口が形成された本体前面を有し、吸込口の室外側に配置されるファンモータを保持する本体フレーム（１００）と、本体前面の吸込口の室内側に設置され物体又は気流の通過を制限するファンガード（２００）と、本体前面及びファンガード（２００）を覆うように本体前面の外周部に装着される意匠グリル（３００）とを備える換気扇であって、ファンガード（２００）は、吸込口以下の大きさの外形の格子部と、格子部の外周に設けられ、本体前面に当接されることにより本体フレーム（１００）へ固定される複数の支持脚とを備え、本体フレーム（１００）は、本体前面の吸込口の周囲に支持脚が嵌合する凹形状の取付溝（１２２，１２３，１２４，１２５）を備え、ファンガード（２００）は、本体フレーム（１００）に埋没する状態で本体フレーム（１００）に装着される。
2018003101.tif 000002
【特許請求の範囲】
【請求項１】
周囲がベルマウス形状の吸込口が形成された面板を有し、前記吸込口の室外側に配置されるファンモータを保持する本体フレームと、前記面板の前記吸込口の室内側に設置され物体又は気流の通過を制限する通過制限機能部品と、前記面板及び前記通過制限機能部品を覆うように前記面板の外周部に装着される意匠グリルとを備える換気扇であって、
前記通過制限機能部品は、前記吸込口以下の大きさの外形の通過制限部と、該通過制限部の外周に設けられ、前記面板に当接されることにより前記本体フレームへ固定される複数の支持脚とを備え、
前記本体フレームは、前記面板の前記吸込口の周囲に前記支持脚が嵌合する凹形状の取付溝を備え、
前記通過制限機能部品は、前記本体フレームに埋没する状態で前記本体フレームに装着されることを特徴とする換気扇。
【請求項２】
前記通過制限機能部品は、前記通過制限部の外周に前記吸込口よりも大きい外枠を備え、
前記本体フレームは、前記外枠に嵌合する凹形状の通過制限機能部品取付部を備え、
前記通過制限機能部品は、前記本体フレームに装着されたときに前記外枠が前記通過制限機能部品取付部に密着することを特徴とする請求項１に記載の換気扇。
【請求項３】
前記通過制限機能部品の前記通過制限部は、捕集網であることを特徴とする請求項２に記載の換気扇。
【請求項４】
前記通過制限機能部品の前記通過制限部は、開閉機能を持つシャッタであることを特徴とする請求項２に記載の換気扇。
【請求項５】
前記外枠は、前記ベルマウス形状の室内側の端部に当接し、前記ベルマウス形状を室内側に延長することを特徴とする請求項２から４のいずれか１項に記載の換気扇。
【請求項６】
前記通過制限機能部品は、室内側にツマミを有することを特徴とする請求項１から５のいずれか１項に記載の換気扇。
【請求項７】
前記ツマミは、前記意匠グリルと係合することを特徴とする請求項６に記載の換気扇。
【発明の詳細な説明】
【技術分野】
【０００１】
本発明は、ファンガード、フィルタ又はシャッターといった通過制限機能部品を排気吸込口に備えた換気扇に関する。
【背景技術】
【０００２】
壁部又は天井の換気口に埋設した通風パイプといった管材に装着され、屋内空気を換気する換気装置には、ファンモータ部を設け周辺を枠状に形成した本体フレームと、本体フレームの中央部に設けられるファンの吸込口に対応するベルマウスと、本体フレーム及びフィルタ部を覆うように装着されるグリルで構成される換気扇がある。また、特許文献１には、除塵又は羽根への接触防止のために吸込口にフィルタ又はファンガードといった物体の通過を制限する機能部品が取り付けられる場合、本体フレームの前面に装着する技術が開示されている。以下、フィルタ又はファンガードといった物体の通過を制限する機能部品と、シャッターのように気流の通過を制限する機能部品とを合わせて通過制限機能部品という。
【先行技術文献】
【特許文献】
【０００３】
【特許文献１】特開２０１１−１４４９８７号公報
【発明の概要】
【発明が解決しようとする課題】
【０００４】
通風パイプに装着される換気扇は、本体フレームの裏側には外部からの電源を接続する端子台といった部品が収納されているため、通過制限機能部品を搭載する場合には、本体フレームの前面に突出して装着される。したがって、通過制限機能部品及び本体フレームを覆って室内側に突出するグリルの厚さが厚くなり、使用者に圧迫感を与え意匠性を損なってしまうことがあった。【０００５】
本発明は、上記に鑑みてなされたものであって、通過制限機能部品を備え、通過制限機能部品による室内側への製品突出量を抑制した換気扇を得ることを目的とする。
【課題を解決するための手段】
【０００６】
上述した課題を解決し、目的を達成するために、本発明は、周囲がベルマウス形状の吸込口が形成された面板を有し、吸込口の室外側に配置されるファンモータを保持する本体フレームと、面板の吸込口の室内側に設置され物体又は気流の通過を制限する通過制限機能部品と、面板及び通過制限機能部品を覆うように面板の外周部に装着される意匠グリルとを備える換気扇であって、通過制限機能部品は、吸込口以下の大きさの外形の通過制限部と、該通過制限部の外周に設けられ、面板に当接されることにより本体フレームへ固定される複数の支持脚とを備え、本体フレームは、面板の吸込口の周囲に支持脚が嵌合する凹形状の取付溝を備える。通過制限機能部品は、本体フレームに埋没する状態で本体フレームに装着される。
【発明の効果】
【０００７】
本発明に係る換気扇は、本体フレームに通過制限機能部品を装着しても、室内側への製品突出量の増加を抑制できるという効果を奏する。
【図面の簡単な説明】
【０００８】
【図１】本発明の実施の形態１に係る換気扇を壁に埋設された送風管に据え付けた状態を右側面から見た模式縦断面図
【図２】実施の形態１に係る換気扇の意匠グリル及びファンガードを取り外した状態の分解斜視図
【図３】実施の形態１に係る換気扇を意匠グリルを取り外した状態で室内方向から見た斜視図
【図４】実施の形態１に係る換気扇を室内方向から見た斜視図
【図５】実施の形態１に係る換気扇のファンガードの斜視図
【図６】実施の形態１に係る換気扇の意匠グリルを外した状態における室内側の上断面図
【図７】本発明の実施の形態２に係る換気扇の意匠グリルを外した状態における室内側の分解斜視図
【図８】実施の形態２に係る換気扇の意匠グリルを外した状態における室内側の斜視図
【図９】実施の形態２に係る換気扇の意匠グリルを外した状態における室内側の上断面図
【図１０】実施の形態２に係る換気扇の本体フレームとフィルタとの接続部分の断面図
【図１１】実施の形態１，２に係る換気扇の変形例を示す図
【発明を実施するための形態】
【０００９】
以下に、本発明の実施の形態に係る換気扇を図面に基づいて詳細に説明する。なお、この実施の形態によりこの発明が限定されるものではない。
【００１０】
実施の形態１．
図１は、本発明の実施の形態１に係る換気扇を壁に埋設された送風管に据え付けた状態を右側面から見た模式縦断面図である。図２は、実施の形態１に係る換気扇の意匠グリル及びファンガードを取り外した状態の分解斜視図である。図３は、実施の形態１に係る換気扇を意匠グリルを取り外した状態で室内方向から見た斜視図である。図４は、実施の形態１に係る換気扇を室内方向から見た斜視図である。図１に示すように、実施の形態１に係る換気扇１は、建物の壁７又は天井に埋設され室内と室外とを連通させる送風管８に室内方向５から挿入して設置されている。以下の説明において、換気扇の室内側を前方とし、換気扇の室外側を後方とする。
【００１１】
換気扇１は、本体フレーム１００には通過制限機能部品であるファンガード２００と、本体フレーム１００及びファンガード２００を覆う意匠グリル３００とが取り付けられる構造であり、本体フレーム１００が壁７に固定されている。
【００１２】
本体フレーム１００は、樹脂で構成されている。図２及び図３に示すように、本体前面１０１、本体上面１０２、本体下面１０３、本体右側面１０４及び本体左側面１０５により室外方向６が開口した箱形に形成され、本体上面１０２、本体下面１０３、本体右側面１０４及び本体左側面１０５によって構成される端面１１７は、換気扇１が室内に取り付けられたときに壁７に当接する。本体前面１０１の左右両端には、凹形状で壁７に当接する製品取付部１１８ａ，１１８ｂが設けられている。製品取付部１１８ａ，１１８ｂには、長穴１１９ａ，１１９ｂが設けられている。換気扇１は、木ねじといった不図示の締結部材を長穴１１９ａ，１１９ｂに貫通させて壁７に締結することで、壁７に固定される。
【００１３】
また、面板である本体前面１０１の中央には、送風管８に挿入される円筒状の風洞１０６を有し、風洞１０６は排気の吸込口を構成している。本体前面１０１と風洞１０６とがなす周縁部は、ベルマウス形状に形成されてベルマウス部１０７となっている。風洞１０６の室外方向６の端部１０８には、電動機取付脚部１０９ａ，１０９ｂ，１０９ｃに支持される電動機取付部１１０が形成されている。電動機取付部１１０には、送風用電動機２が取り付けられる。送風用電動機２には、プロペラ羽根３が取り付けられ、プロペラ羽根３が回転駆動されることで、室内の空気が風洞１０６の内部を通過して室外へと排出される。
【００１４】
また、図４に示すように、風洞１０６の外周面１１１には、気密パッキン１１５が貼り付けられている。外周面１１１及び気密パッキン１１５と、本体前面１０１、本体上面１０２、本体下面１０３、本体右側面１０４及び本体左側面１０５と、壁７とにより密閉される本体背面空間１２０には、外部電源線接続用の端子台ユニット１１２と、意匠グリル３００が有するシャッター板３０７を開閉するシャッター板駆動ユニット１１３と、スイッチ及び基板といった電機部品及び電子部品を収容する電気ユニット１１４とが取り付けられている。
【００１５】
意匠グリル３００は、壁７に設置された本体フレーム１００及びファンガード２００を覆うように室外方向６が開口した箱形に形成されている。意匠グリル３００は、グリル上面３０１及びグリル下面３０２の内側に設けられた引掛けつめ３０３ａ，３０３ｂ，３０３ｃ，３０３ｄが、本体フレーム１００の本体上面１０２及び本体下面１０３に設けられたグリル引掛け部１１６ａ，１１６ｂ，１１６ｃ，１１６ｄに引っ掛けられることで、本体フレーム１００に着脱可能に係止される。また、グリル前面３０４には、開口部３０５が形成されている。開口部３０５の開放及び閉鎖を行うシャッター板３０７が軸支部３０６を介して回動可能に軸支されている。さらに、シャッター板３０７は、閉鎖ばね３０８によりグリル前面３０４に繋がれている。
【００１６】
換気扇１が起動されたとき、本体フレーム１００に回動可能に固定されたロッド１２１は、シャッター板駆動ユニット１１３により図１に示す方向Ａに一定角度回動した後保持され、シャッター板３０７を押し開けて開口部３０５を開放する。また、換気扇１が停止されたとき、シャッター板駆動ユニット１１３の回動保持は解除され、閉鎖ばね３０８の力によりシャッター板３０７が閉じ、開口部３０５は閉鎖される。
【００１７】
図５は、実施の形態１に係る換気扇のファンガードの斜視図である。図６は、実施の形態１に係る換気扇の意匠グリルを外した状態における室内側の上断面図である。ファンガード２００は、樹脂により構成されている。ファンガード２００は、図５に示すように、円板状の格子部２０１と、格子部２０１の外周面２０９から円周十字方向に突き出した支持脚２０２，２０３，２０４，２０５とを有している。格子部２０１は、安全のために指のような物体の通過を制限する通過制限部である。支持脚２０５にはねじ固定用の貫通穴２０６が設けられている。ガード前面２０７には取っ手２０８が設けられている。ファンガード２００は、取っ手２０８が室内方向５を向き、格子部２０１の円板中心軸が風洞１０６の円筒中心軸に一致するように本体フレーム１００に固定される。本体フレーム１００の本体前面１０１及びベルマウス部１０７には、図２及び図３に示すように、ファンガード２００の支持脚２０２，２０３，２０４，２０５がそれぞれ収まる取付溝１２２，１２３，１２４，１２５が設けられており、これによりガード前面２０７は室内方向５へ突出することなく本体前面１０１と一致する。換言すると、ファンガード２００は、本体前面１０１と面一に配置される。
【００１８】
通過制限機能部品を構成する格子部２０１の隙間は、電気用品安全法に定められた充電部からの保護の試験に用いる試験指の直径よりも小さい１２ｍｍ未満とすることで、格子部２０１の隙間に指が挿入されることを防止できる。なお、格子部２０１の隙間を１２ｍｍ未満とした場合には、ＩＥＣ（International  Electrotechnical  Commission）とも称される国際電機標準会議の規格であるＩＥＣ６０５２９の保護等級２級に相当する。格子部２０１の隙間は１２ｍｍ未満に限定されない。
【００１９】
なお、ここではファンガード２００が本体前面１０１と面一になるようにファンガード２００を本体フレーム１００に埋没させているが、ファンガード２００は本体フレーム１００に一部のみを埋没させても良い。すなわち、ファンガード２００は、後端側の一部のみが本体フレーム１００に埋没しても良い。また、ファンガード２００の前端が本体前面１０１よりも凹むようにファンガード２００を本体フレーム１００に埋没してもよい。
【００２０】
また、支持脚２０５が収まる取付溝１２５には、ねじ穴１２６が設けられており、また、風洞１０６を挟んで取付溝１２５の対称位置にある取付溝１２２の取付溝側面１２７には、対応する支持脚２０２の先端が差し込まれる差込穴１２８が設けられている。支持脚２０２を差込穴１２８に挿入した後に貫通穴２０６を通して固定ねじ４をねじ穴１２６に締結することで、ファンガード２００は本体フレーム１００に固定される。取っ手２０８は本体前面１０１より室内方向５に突き出すが、意匠グリル３００を取り付けたときに意匠グリル３００に設けられた溝３０９に挿入され、固定ねじ４が脱落してもファンガード２００が脱落しない効果を得ている。
【００２１】
さらに、外周面２０９の直径は風洞１０６の内側直径以下の寸法になっている。換言すると、格子部２０１は、吸込口以下の大きさの外形となっている。したがって、格子部２０１は円板厚さを大きくしても本体背面空間１２０を圧迫することなく、またベルマウス部１０７に接触しないため、効率的に空気を吸い込む機能の低下を抑制する。なお、吸い込み効率の低下を許容できるのであれば、外周面２０９はベルマウス部１０７に接触してもよい。
【００２２】
また、実施の形態１では格子部２０１の外周面２０９は円板軸に平行な円筒形状であるが、発明はこの形状に限定するものではなく、ベルマウス部１０７とは非接触かつベルマウス部１０７の表面に沿う形状などでも良い。
【００２３】
実施の形態１に係る換気扇は、本体フレーム１００の前面にファンガード２００を備えながら、室内側への製品突出厚さの増加を抑制できる。
【００２４】
実施の形態２．
図７は、本発明の実施の形態２に係る換気扇の意匠グリルを外した状態における室内側の分解斜視図である。図８は、実施の形態２に係る換気扇の意匠グリルを外した状態における室内側の斜視図である。図９は、実施の形態２に係る換気扇の意匠グリルを外した状態における室内側の上断面図である。実施の形態２では、図７及び図８に示すように、ファンガード２００の代わりに通過制限機能部品であるフィルタ４００が本体フレーム５００に取り付けられる。本体フレーム５００の形状及びその他の部品の形状並びに構造については、以下で特に説明しない場合は実施の形態１と同様である。
【００２５】
実施の形態２に係る換気扇は、図７及び図８に示すように、フィルタ４００の円形の外枠４０１の直径は、本体前面５０１とベルマウス部５０２との境界と同等の直径寸法になっている。すなわち、外枠４０１は、捕集網４０２の周囲に吸込口よりも大きい外形の外枠４０１を備えている。捕集網４０２は、虫及びゴミの通過を制限する通過制限部である。フィルタ４００は、図９に示すように、外枠４０１とその内側に張られた捕集網４０２とで構成されている。フィルタ４００は、外枠４０１の円周外側方向に、差込部４０３を備える。フィルタ４００は、円周内側方向に、ネジ固定用のＵ字穴４０５を有する固定面４０４と取っ手４０６と、ロッド１２１の動作を阻害しないための逃がし部４０７とを備える。一方、本体フレーム５００の本体前面５０１及びベルマウス部５０２には、外径及び深さが外枠４０１と同じ寸法で形成された通過制限機能部品取付部であるフィルタ取付部５０３が設けられている。フィルタ取付部５０３の取付面５０４には、ねじ穴５０５が設けられている。フィルタ取付部５０３の取付側面５０６には、差込穴５０７が設けられている。フィルタ４００は、差込部４０３を差込穴５０７に挿入した後に、Ｕ字穴４０５を通して固定ねじ４をねじ穴５０５に締結することで、本体フレーム５００に固定される。
【００２６】
上記の構造により、フィルタ４００は、本体フレーム５００に隙間なく取り付けられると同時に、フィルタ４００の枠前面４０８は室内方向５へ突出することなく本体前面５０１と一致する。また、フィルタ取付部５０３の大きさは、ベルマウス部５０２程度の大きさであるため、フィルタ４００を本体フレーム５００に取り付けても本体背面空間５０８を圧迫しない。
【００２７】
図１０は、実施の形態２に係る換気扇の本体フレームとフィルタとの接続部分の断面図である。図１０に示すように、外枠４０１の枠前面４０８と枠内周面４０９とがなす角には、本体フレーム５００の本体前面５０１に形成されたベルマウス部５０２の形が延長される形状のフィルタベルマウス部４１０が形成されている。すなわち、外枠４０１の断面形状はベルマウス部５０２の延長形状である。すなわち、外枠４０１は、ベルマウス形状であるベルマウス部５０２の室内側の端部に当接し、ベルマウス形状を室内側に延長する。本体フレーム５００にフィルタ４００が取り付けられた状態で、ベルマウス部５０２とフィルタベルマウス部４１０とが連続することによってベルマウス形状が完成する構造となっており、効率的に空気を吸い込むことができる。
【００２８】
上記の構造により、実施の形態２に係る換気扇は、本体フレーム５００の前面にフィルタ４００を備えながら、室内側への製品突出厚さの増加を抑制するという効果を得ている。
【００２９】
図１１は、実施の形態１，２に係る換気扇の変形例を示す図である。実施の形態１及び実施の形態２では、通過制限機能部品はそれぞれファンガード２００又はフィルタ４００であったが、図１１に示すように、通過制限機能部品は、気流の通過を制限する通過制限部であるシャッターを備えたシャッタユニット６００であっても良い。シャッタユニット６００は、通過制限部であるシャッタブレード６０２と、外枠６０１とを備える。通過制限機能部品がシャッタユニット６００である場合には、本体フレーム１００にはシャッタ機能を持たない意匠グリル７００が装着される。
【００３０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３１】
１  換気扇、２  送風用電動機、３  プロペラ羽根、４  固定ねじ、５  室内方向、６  室外方向、７  壁、８  送風管、１００，５００  本体フレーム、１０１，５０１  本体前面、１０２  本体上面、１０３  本体下面、１０４  本体右側面、１０５  本体左側面、１０６  風洞、１０７，５０２  ベルマウス部、１０８  端部、１０９ａ，１０９ｂ，１０９ｃ  電動機取付脚部、１１０  電動機取付部、１１１  外周面、１１２  端子台ユニット、１１３  シャッター板駆動ユニット、１１４  電気ユニット、１１５  気密パッキン、１１６ａ，１１６ｂ，１１６ｃ，１１６ｄ  グリル引掛け部、１１７  端面、１１８ａ，１１８ｂ  製品取付部、１１９ａ，１１９ｂ  長穴、１２０，５０８  本体背面空間、１２１  ロッド、１２２，１２３，１２４，１２５  取付溝、１２６，５０５  ねじ穴、１２７  取付溝側面、１２８，４０３，５０７  差込穴、２００  ファンガード、２０１  格子部、２０２，２０３，２０４，２０５  支持脚、２０６  貫通穴、２０７  ガード前面、２０８，４０６  取っ手、２０９  外周面、３００，７００  意匠グリル、３０１  グリル上面、３０２  グリル下面、３０３ａ，３０３ｂ，３０３ｃ，３０３ｄ  引掛けつめ、３０４  グリル前面、３０５  開口部、３０６  軸支部、３０７  シャッター板、３０８  閉鎖ばね、３０９  溝、４００  フィルタ、４０１、６０１  外枠、４０２  捕集網、４０４  固定面、４０５  Ｕ字穴、４０７  逃がし部、４０８  枠前面、４０９  枠内周面、４１０  フィルタベルマウス部、５０３  フィルタ取付部、５０４  取付面、５０６  取付側面、６００  シャッタユニット、６０２  シャッタブレード。
【図１】
2018003101.tif 000003
【図２】
2018003101.tif 000004
【図３】
2018003101.tif 000005
【図４】
2018003101.tif 000006
【図５】
2018003101.tif 000007
【図６】
2018003101.tif 000008
【図７】
2018003101.tif 000009
【図８】
2018003101.tif 000010
【図９】
2018003101.tif 000011
【図１０】
2018003101.tif 000012
【図１１】
2018003101.tif 000013
【国際調査報告】
2018003101.tif 000014
2018003101.tif 000015
2018003101.tif 000016
2018003101.tif 000017